(57)【要約】【課題】複数のベンダーの建築用ＣＡＤに対して、標準化されたデータ形式により、流通している住宅部材と常に同期のとれた住宅部材データを供給することが可能な住宅部材供給システムを提供する。【解決手段】本発明の住宅部材データ供給装置６は、住宅部材会社が取り扱う住宅部材の２次元画像情報、３次元画像情報及びスペックを含む住宅部材データを建築用ＣＡＤシステムで使用可能な標準化されたデータ形式で記憶する標準データベース２と、前記住宅部材データを住宅部材毎に前記データベースに記憶させるデータベース書き込み部３と、前記建築用ＣＡＤシステムから検索要求された住宅部材データを前記標準データベースから検索し、抽出を行うデータ検索部４と、抽出された前記住宅部材データを、前記建築用ＣＡＤシステムへ出力するデータ出力部５とを有することを特徴とする。【選択図】　　　図１
2004126809.tif 000002
【特許請求の範囲】
【請求項１】
住宅部材会社が取り扱う住宅部材の２次元画像情報、３次元画像情報及びスペックを含む住宅部材データを建築用ＣＡＤシステムで使用可能な標準化されたデータ形式で記憶する標準データベースと、
前記住宅部材データを住宅部材毎に前記データベースに記憶させるデータベース記憶部と、
前記建築用ＣＡＤシステムから検索要求された住宅部材データを前記標準データベースから検索し、抽出を行うデータ検索部と、
抽出された前記住宅部材データを、前記建築用ＣＡＤシステムへ出力するデータ出力部と
を有することを特徴とする住宅部材データ供給装置。
【請求項２】
前記データベースは、
前記住宅部材データを標準化されたデータ形式を部品、建具、素材の少なくとも３種類に分類し、
前記住宅部材データ供給装置にネットワークを介してアクセス可能な前記建築用ＣＡＤシステムの使用可能なデータ形式に変更可能な項目データを、前記分類毎に記憶していることを特徴とする請求項１記載の住宅部材データ供給装置。
【請求項３】
住宅部材会社が取り扱う住宅部材の２次元画像情報、３次元画像情報及びスペックを含む住宅部材データを建築用ＣＡＤシステムで使用可能な標準化されたデータ形式で記憶する標準データベースに、住宅部材会社端末からネットワークで送られた前記住宅部材データを登録するデータ登録装置であり、
前記住宅部材会社端末の表示画面に住宅部材データの項目毎の入力画面を表示し、項目にしたがって住宅部材データの入力を促すデータ入力部と、
予め設定された項目に前記住宅部材会社端末から住宅部材データが前記データ形式に基づいて入力されたかを判定するデータ内容チェック部と
を有することを特徴とするデータ登録装置。
【請求項４】
前記データ内容チェック部は、
少なくとも入力するための必須項目に前記住宅部材会社端末から前記住宅部材データが入力されたかを判定する判定部と、
必須項目に前記住宅部材データが入力されていない場合に、入力を促す警告をデータ警告発信部と
を有することを特徴とする請求項３記載のデータ登録装置。
【請求項５】
前記データ内容チェック部は、
数値入力の項目において、入力された数値が予め設定された設定値の範囲に含まれるか検出する検出部と、
含まれない場合に入力された数値の確認を促す数値警告発信部と
を有することを特徴とす請求項３または請求項４記載のデータ登録装置。
【請求項６】
前記データ内容チェック部は、
入力される前記住宅部材データに２次元画像、３次元画像が含まれていると、予め設定された所定の図形タイプの構成が含まれているかの判定を行う図形タイプ判定部と、
設定以外の図形タイプが含まれていると判定された場合、前記図形の修正を促す警告を発する図形警告発信部と
を有することを特徴とする請求項３または請求項５記載のデータ登録装置。
【請求項７】
前記データ内容チェック部は、
入力される前記住宅部材データにレイヤ構造の２次元画像、３次元画像が含まれていると、
予め設定された画像レイヤの設定に従ってレイヤ構造に構成されているかの判定を行うレイヤ確認部と、
設定以外のレイヤ構造がふくまれいると判定された場合に、前記画像のレイヤ構造の警告を発信するレイヤ構図警告発信部と
を有することを特徴とする請求項３または請求項６記載のデータ登録装置。
【請求項８】
前記データ内容チェック部は、
項目毎に入力されたデータに従って入力された住宅部材データを分類するデータ分類部と、
分類されたデータにしたがって入力必須項目を設定する項目設定部と、
設定された項目に前記住宅部材データが入力されているかの判定を行う入力部材チェック部と、
入力されていない場合に、入力を促す警告を発信する入力部材警告発信部と
を有することを特徴とする請求項３から請求項７のいずれかに記載のデータ登録装置。
【請求項９】
住宅部材会社が販売する住宅部材の２次元画像情報，３次元画像情報及びスペックを含む住宅部材データが、住宅部材会社間において標準化されたデータ形式によりデータベース形式で記憶されたことを特徴とするコンピュータ読み取り可能な記録媒体。
【請求項１０】
前記データベースにおいて、建築用ＣＡＤシステムから検索要求された住宅部材データの検索及び抽出を行うデータ検索処理と、
該データ検索部が抽出した住宅部材データを、検索を要求した建築用ＣＡＤシステムへ出力するデータ出力処理と
を有する、コンピュータにより実行可能なプログラムが記録された請求項９に記載の記録媒体。
【請求項１１】
前記標準データベースが、住宅部材データを部品，建具及び素材の３種類に分類し、この種類毎に、前記標準化されたデータ形式により、建築用ＣＡＤの他のデータ形式への変換に必要な項目のデータを記憶していることを特徴とする請求項９または請求項１０に記載の記録媒体。
【発明の詳細な説明】
【０００１】
【発明の属する技術分野】
本発明は、建物の設計を行う建築用ＣＡＤ（Ｃｏｍｐｕｔｅｒ　Ａｉｄｅｄ　Ｄｅｓｉｇｎ）システムに対して、住宅を構成する住宅部材のデータを標準データとして記憶するデーターベースシステム及びこれを用いて上記標準データを供給する住宅部材データ供給装置に関するものである。
【０００２】
【従来の技術】
従来、大手の住宅会社などは、建築用ＣＡＤシステムで使用する住宅部材のデータを複数の住宅部材メーカら収集している。そして、販売する建築用ＣＡＤシステムでのみ使用可能な専用データに加工してデータベースとして構築し、有料・無料でＣＤ−Ｒ、ＤＶＤ等の記憶媒体で配布したり、ネットワークを介して配信している（特許文献１参照）。
【０００３】
一方、中小の住宅会社などは、建築用ＣＡＤシステムのベンダーやベンダーが選定した住宅部材のデータをＣＤ−Ｒ、ＤＶＤ等の記憶媒体、ネットワークを介して有償、または、無償で収集している。
そのため、十分な住宅部材のデータを収集することが容易に行えず、また、データベースを構築することができなかった。
【０００４】
上記住宅部材は、システムキッチン，バス，トイレ，洗面台，収納部，フェンス，門扉，ガレージなどの部品と、ドア，サッシ，窓などの建具と、壁材，床材，造作材，カーテン，カーペット，ブラインドなどの素材とを示している。
【０００５】
【特許文献１】
特願平９−１０９４４号公報
【０００６】
【発明が解決しようとする課題】
しかしながら、自社でデータベースシステムを運用する場合には、住宅部材のメーカが商品の改訂を行う度に、データベースのデータの改訂を行う必要があり、したがって、建築用ＣＡＤを運用している限り、運用の維持コストを継続的にかけて、データベースのメンテナンスを行わなくてはならない。
【０００７】
また、建築用ＣＡＤのベンダーから住宅部材のデータの供給を受ける場合、利用する住宅会社は設計における住宅部材のデータの利用に関して必要なコストを最低限に抑えることが可能であるが、逆にベンダーのコスト負担は高くなる。
さらに、ベンダーによる住宅部材の配信には、ベンダーが各住宅部材会社から住宅部材のデータを選定し、この選定されたデータに基づいてデータベースを構築して、各住宅会社に配信するため、データベースの住宅部材のデータがベンダーの都合により逐次変更されるため、住宅会社が限られた住宅部材の種類のなかで、所定の住宅部材を継続して使用できない問題がある。
加えて、ベンダーによる住宅部材の配信には、商品変更の際のデータベースへの反映遅れ（実際の商品のラインナップとデータベースの商品との同期が取れていない、すなわち住宅部材のデータの整合性が取れていない）による精度の低さが欠点としてある。
【０００８】
上述してきたように、住宅部材のデータベースが各住宅部材会社により構築されれば、住宅会社が独自のデータベースを構築して高い運用コストを支払うこともなく、継続性及び精度の点から常に同期の取れた住宅部材データを使用して建築物の設計を行うことが可能となる。
【０００９】
しかしながら、住宅部材会社がデータベースを構築する場合には、各ベンダーが処理の差別化を図っており、システム特有のデータが必要となり、供給する建築用ＣＡＤで用いられるデータ形式が各々異なるため、全てのベンダーの建築用ＣＡＤに対応するデータ形式の住宅部材のデータを用意しなければならず、商品を変更する等の運用に多大なコストを必要とする問題がある。
【００１０】
本発明はこのような背景の下になされたもので、複数のベンダーの建築用ＣＡＤに対して、標準化されたデータ形式により、流通している住宅部材と常に同期のとれた住宅部材データを供給することが可能な住宅部材供給システムを提供する。
【００１１】
【課題を解決するための手段】
本発明の住宅部材データ供給装置は、住宅部材会社が取り扱う住宅部材の２次元画像情報、３次元画像情報及びスペックを含む住宅部材データを建築用ＣＡＤシステムで使用可能な標準化されたデータ形式で記憶する標準データベースと、前記住宅部材データを住宅部材毎に前記データベースに記憶させるデータベース記憶部（データベース書き込み部３）と、前記建築用ＣＡＤシステムから検索要求された住宅部材データを前記標準データベースから検索し、抽出を行うデータ検索部と、抽出された前記住宅部材データを、前記建築用ＣＡＤシステムへ出力するデータ出力部とを有することを特徴とする。
【００１２】
本発明の住宅部材データ供給装置は、前記データベースが、前記住宅部材データを標準化されたデータ形式を部品、建具、素材の少なくとも３種類に分類し、前記住宅部材データ供給装置にネットワークを介してアクセス可能な前記建築用ＣＡＤシステムの使用可能なデータ形式に変更可能な項目データを、前記分類毎に記憶していることを特徴とする。
【００１３】
本発明のデータ登録装置は、住宅部材会社が取り扱う住宅部材の２次元画像情報、３次元画像情報及びスペックを含む住宅部材データを建築用ＣＡＤシステムで使用可能な標準化されたデータ形式で記憶する標準データベースに、住宅部材会社端末からネットワークで送られた前記住宅部材データを登録するデータ登録装置であり、前記住宅部材会社端末の表示画面に住宅部材データの項目毎の入力画面を表示し、項目にしたがって住宅部材データの入力を促すデータ入力部と、予め設定された項目に前記住宅部材会社端末から住宅部材データが前記データ形式に基づいて入力されたかを判定するデータ内容チェック部とを有することを特徴とする。
【００１４】
本発明のデータ登録装置は、前記データ内容チェック部が、少なくとも入力するための必須項目に前記住宅部材会社端末から前記住宅部材データが入力されたかを判定する判定部と、必須項目に前記住宅部材データが入力されていない場合に、入力を促す警告をデータ警告発信部とを有することを特徴とする。
【００１５】
本発明のデータ登録装置は、前記データ内容チェック部が、数値入力の項目において、入力された数値が予め設定された設定値の範囲に含まれるかを検出する検出部と、含まれない場合に入力された数値の確認を促す数値警告発信部とを有することを特徴とする。
【００１６】
本発明のデータ登録装置は、前記データ内容チェック部が、入力される前記住宅部材データに２次元画像、３次元画像が含まれていると、予め設定された所定の図形タイプの構成が含まれているかの判定を行う図形タイプ判定部と、設定以外の図形タイプが含まれていると判定された場合、前記図形の修正を促す警告を発する図形警告発信部とを有することを特徴とする。
【００１７】
本発明のデータ登録装置は、前記データ内容チェック部が、入力される前記住宅部材データにレイヤ構造の２次元画像、３次元画像が含まれていると、予め設定された画像レイヤの設定に従ってレイヤ構造に構成されているかの判定を行うレイヤ確認部と、設定以外のレイヤ構造がふくまれいると判定された場合に、前記画像のレイヤ構造の警告を発信するレイヤ構図警告発信部とを有することを特徴とする。
【００１８】
本発明のデータ登録装置は、前記データ内容チェック部が、項目毎に入力されたデータに従って入力された住宅部材データを分類するデータ分類部と、分類されたデータにしたがって入力必須項目を設定する項目設定部と、設定された項目に前記住宅部材データが入力されているかの判定を行う入力部材チェック部と、入力されていない場合に、入力を促す警告を発信する入力部材警告発信部とを有することを特徴とする。
【００１９】
本発明の記録媒体は、住宅部材会社が販売する住宅部材の２次元画像情報，３次元画像情報及びスペックを含む住宅部材データが、住宅部材会社間において標準化されたデータ形式によりデータベース形式で記憶されたコンピュータ読み取り可能な記録媒体である。
【００２０】
本発明の記録媒体は、前記データベースにおいて、建築用ＣＡＤシステムから検索要求された住宅部材データの検索及び抽出を行うデータ検索処理と、該データ検索部が抽出した住宅部材データを、検索を要求した建築用ＣＡＤシステムへ出力するデータ出力処理とを有する、コンピュータにより実行可能なプログラムが記録されている。
【００２１】
本発明の記録媒体は、前記標準データベースが、住宅部材データを部品，建具及び素材の３種類に分類し、この種類毎に、前記標準化されたデータ形式により、建築用ＣＡＤの他のデータ形式への変換に必要な項目のデータを記憶していることを特徴とする。
【００２２】
【発明の実施の形態】
以下、図面を参照して本発明の実施形態について説明する。図１は本発明の一実施形態による住宅部材供給システムの構成例を示すブロック図である。
この図において、データ登録装置１は、住宅部材会社の担当者が、後に述べる標準データベース２へ、住宅部材データを、住宅部材毎に入力するデータ入力部１ａと、入力された住宅部材データが正しく入力されたか否かの判定を行うデータ内容チェック部１ｂとを有している。
【００２３】
特に、データ内容チェック部１ｂは、標準データベース２に記憶され、各建築用ＣＡＤ７に供給される住宅部材データのデータ形式（フォーマット構成も含む）を共通化するため、入力される住宅部材データの各項目が所定のデータ形式に対応しているか否かのチェックをしている。
すなわち、データ内容チェック部１ｂは、入力される前記住宅部材データにレイヤ構造の２次元画像、３次元画像が含まれていると、予め設定された画像レイヤの設定に従ってレイヤ構造に構成されているかの判定を行うレイヤ確認部と、設定以外のレイヤ構造がふくまれいると判定された場合に、上記画像のレイヤ構造の警告を発信するレイヤ構図警告発信部とを有している。
また、データ内容チェック部１ｂは、少なくとも入力するための必須項目に住宅部材会社端末から住宅部材データが入力されたかを判定する判定部と、必須項目に前記住宅部材データが入力されていない場合に、入力を促す警告を行うデータ警告発信部を有している。
さらに、データ内容チェック部１ｂは、数値入力の項目において、入力された数値が予め設定された設定値の範囲に含まるか検出する検出部と、含まれない場合に入力された数値の確認を促す数値警告発信部とを有している。
そして、標準データベース２は、住宅部材会社が販売する住宅部材の２次元画像情報，３次元画像情報及び住宅部材のスペックを含む住宅部材データを、住宅部材会社間において標準化されたデータ形式により記憶している。
【００２４】
また、上記標準データベース２は、上記標準データベースは、例えば、一例として図２に示されている様なデータ構成により、各住宅部材データを記憶している。
そして、この標準データベース２は、住宅部材データを複数の住宅部材会社で共通化されたデータ形式において記憶している。
すなわち、図２において示すように、住宅部材データの種類は、システムキッチン，バス，トイレ，家具，家電，洗面台，収納部，フェンス，門扉，ガレージなどを含む「部品（住宅設備，エクステリア）」と、内装ドア，外装ドア，サッシ，窓，出窓などを含む「建具（住宅建材）」と、床材，壁材，天井材，外壁材，屋根材，カーテン，カーペット，ブラインドなどを含む「素材（ファブリック）」とに分類されている。
【００２５】
また、標準データベース２には、上記部品，建具及び素材毎に、各々の構造を示す３次元情報（３次元画像情報）及び２次元情報（２次元画像情報）と、寸法や特性を示すスペックのデータが、各住宅部材を流通させている住宅部材会社単位に記憶されている。
ここで、３次元情報は、コンピュータグラフィックのシミュレーションを行う程度の分解能の簡易画像と、高品位なレダリングを行うことを対照にしたレベルの画質の詳細画像とが記憶されている。
例えば、簡易画像は数百のポリゴンからなり、詳細画像は数千〜数万のポリゴンからなっている。
【００２６】
上述した２次元画像及び３次元画像を、共通化するために用いる所定のデータ形式とは、例えば、３次元画像画像であればＴＲＺ（ＭｅｄｉａＳｃｒｉｐｔ−ＣＧ；登録商標），ＸＶＬ（ｅＸｔｅｎｓｉｂｌｅ　Ｖｉｒｔｕａｌ　ｗｏｒｌｄ　ｄｅｓｃｒｉｐｔｉｏｎ　Ｌａｎｇｕａｇｅ；登録商標）形式であり、２次元画像情報であれば、図面で使用するのはＤＸＦ（Ｄｒａｗｉｎｇ　Ｉｎｔｅｒｃｈｅｎｇｅ　Ｆｏｒｍａｔ；登録商標）であり、画像として使用するデータ形式はＪＰＥＧ（Ｊｏｉｎｔ　Ｐｈｏｔｏｇｒａｐｈｉｃ　Ｅｘｐｅｒｔ　Ｇｒｏｕｐ）である。
【００２７】
これらの画像データ形式を共通化したデータ形式として用い、他の画像データ形式（各建築用ＣＡＤシステム７で使用されるデータ形式）に変換するために、最低限必要なデータとして、各２次元及び３次元画像データ，画像データのファイル名，ファイルのデータ形式，図形の寸法（高さ及び幅），解像度（ｄｐｉ（ｄｏｔ／ｉｎｃｈ）），図面のサイズの単位（寸法の単位），図面に描かれる図形の寸法，住宅部材のスペック等を含む変換データ（データ出力部５が建築用ＣＡＤシステム７へ出力するデータ）が用いられ、すでに述べたデータ内容チェック部１ｂは、上記変換データが正しい寸法及び項目に対応したデータであるか否か、すなわち数値が入力される項目で有れば数値であり、定められた範囲にはいているか否か、またテキストデータの項目であれば、使用不可の文字が含まれていないテキスト（文字列）で入力されているか（または使用不可の文字が含まれているか）否かの判定を行う。
【００２８】
ここで、図形の寸法において、簡易及び詳細平面図，正面図，左側面図，右側面図（Ｌｅｖｅｌ２）と簡易及び詳細３次元画像（Ｌｅｖｅｌ３）との場合には高さ及び幅ともに実際の寸法（「単位」の欄で選択された寸法）であり、商品画像，特徴画像及び施工例画像（Ｌｅｖｅｌ）の場合には高さ（縦方向の画素数）及び幅（横方向の画素数）である。
【００２９】
また、２次元情報は、設計を行うために用いる図面と、住宅部材の概要を知るための画像とのデータが記憶されている。
図面は、住宅部材の平面図，正面図，側面図があり、各々簡易図（１／１００縮尺の意匠図）及び詳細図（１／５０縮尺）の双方が記憶されている。
さらに、画像は、商品全体の形状を示す商品画像と、実際に建築物に組み込んだ場合の状態を示す施工例画像と、住宅部材の特徴的な部分を拡大した特徴画像と、フローリング床などの繰り返して用いるマッピング画像（特に素材に用いられる画像）とを有している。
【００３０】
また、建具，部品及び素材の属性情報に対応した、図２の２次元情報と３次元情報との関連（すなわち、リンク）構造を図３に示す。
建具と部品とは、同様なリンク構造であり、属性情報として各属性を示す識別符号の属性ＩＤに対して、Ｌｅｖｅｌ１〜３までのデータの構成を有している。
Ｌｅｖｅｌ１は、商品画像，施工例画像，特徴画像の各画像から構成され、各画像に識別符号である画像ＩＤが添付されている。
【００３１】
Ｌｅｖｅｌ２は、簡易画像としての簡易平面図，簡易正面図，簡易右側面図，簡易左側面図から構成され、各画像に識別符号である平面ＩＤが添付されている。
また、Ｌｅｖｅｌ２は、詳細画像としての詳細平面図，詳細正面図，詳細右側面図，詳細左側面図から構成され、各画像に識別符号である平面ＩＤが添付されている。
Ｌｅｖｅｌ３は、簡易３次元画像と詳細３次元画像とから構成されており、各画像に識別符号である立体ＩＤが添付されている。
一方、素材に関しては、Ｌｅｖｅｌ１のみであり、マッピング画像，商品画像施工例画像から構成されており、各画像に識別符号である画像ＩＤが添付されている。
上述した属性ＩＤ及び各画像ＩＤ，平面ＩＤ，立体ＩＤにより、Ｌｅｖｅｌ１，２，３各々において、各Ｌｅｖｅｌ毎に各画像間のリンクが形成されている。
【００３２】
ここで、図２に示した属性情報の建具，部品，素材に各々対応して、標準データベース２に記憶される住宅部材データを、図４を用いて詳細に説明する。
標準データベース２には、図４に示すように、住宅部材毎に、各属性情報として、部品，建具及び素材の種類の他に、住宅部材の名称，型番，メーカ，材料費定価，価格の単位，図面のサイズ（高さ及び幅），画像データのデータ形式（フォーマット），ファイル名，解像度等が記憶されている。
また、標準データベース２には、図２には示されていないが、分類情報として、建具，部品，素材のいずれかであるかを示す「種類」，種類のなかで使用目的で分類したときカテゴリである「分類（素材では区分）」，分類された住宅部材を使用目的で分類した「種別」，種別として分類された住宅部材の実際の名称の集合であるグループ（建具では種別）が図５，６，７に示すように記録されている。
【００３３】
図５は部品の分類の一例が示されており、種類として「部品」が示され、分類として「家具」に対応して、種別として「玄関家具」が記憶され、グループとして「玄関収納，シューズボックス，その他」が記憶されている。
図６は、建具の分類の一例が示されており、種類として「建具」が示され、分類として「外部建具（ドア）」に対応して、種別として「２枚引違，３枚引違，４枚引違，片引，２枚引など」が記憶されている。
図７は、素材の分類の一例が示されており、種類として「素材」が示され、区分として「外装，内装」に対応して、分類として「瓦，スレート屋根，…，壁紙・クロス，…」が記憶されている。
【００３４】
さらに、標準データベース２には、図２には示されていないが、各住宅部材ごとに対応して、建具，部品，素材の分類別に、図８（建具），図９（部品），図１０（素材）のテーブルに示すスペック（製品特性）項目に対応して各スペックのデータが、記憶されている。
図８は、標準データベース２に記憶されている、建具に属する住宅部材の各スペックの項目を示している。
ここで、スペックの種類を識別するスペックＩＤと、各スペックＩＤに対応したスペック属性（スペックの種類）と、単位（または等級）と、スペック属性の説明などが記載された備考欄が設けられている。
【００３５】
図９及び図１０各々も、図８と同様に、標準データベース２に記憶されている、それぞれ部品，素材に属する住宅部材の各スペックの項目を示している。
ここで、スペックの種類を識別するスペックＩＤと、各スペックＩＤに対応したスペック属性（スペックの種類）と、単位（または等級）と、スペック属性の説明などが記載された備考欄が設けられている。
図８〜９のテーブルにおいて、「必須」の項目があるが、建築用ＣＡＤシステムのベンダーの複数において内部処理に必要とされたものが選択され、マークが付けられ（テーブルにおいては「○」が付与され）、データ内容チェック部１ｂにおける入力されたか否かのチェック項目として設定される。
【００３６】
上述したように、標準データベース２には、図４〜１０のテーブルに示された項目に従い、住宅部材会社毎に、住宅部材のスペックのデータを含む各住宅部材データが記憶されている。
また、データ入力部１ａにおいては、入力画面が図４〜１０のテーブルに示された項目に従い作成されている。
さらに、データ内容チェック部１ｂにおいては、チェック項目が図４〜１０のテーブルに示された必須項目と、画像のデータ形式と、後に述べる図形の描画の規則とに基づいて、予めチェック項目が設定されている。
【００３７】
図１に戻り、住宅部材データ供給装置６は、標準データーベース２の他に、データベース書き込み部３，データ検索部４及びデータ出力部５を有している。
データベース書き込み部３は、データ登録装置１から入力される、所定のチェック（共通化された住宅部材データの形式で有るか否かのチェック）を通過した住宅部材データを、属性情報に基づいて、標準データベース２の対応する領域に格納する。
【００３８】
すなわち、上述してきた標準データベース２には、複数の住宅部材会社で共通化したデータ形式で、住宅部材データが記憶される。
この共通化したデータ形式とは、上述したようなデータベースの項目に必要な情報を入力して、記憶させたものである。
データ検索部４は、建築用ＣＡＤシステム７から検索を要求された住宅部材データを、標準データベース２において検索して抽出する。
データ出力部５は、データ検索部４により抽出された住宅部材データを、建築用ＣＡＤシステム７に供給する。
【００３９】
建築用ＣＡＤシステム７は、各々ＣＡＤソフトを開発しているベンダ毎に、異なるデータ形式の住宅部材データが用いられて、２次元画像情報の図面を利用した住宅の設計処理，住宅部材データに添付される価格により、住宅に使用した部品／建具／素材の価格の積算計算，スペックに含まれる住宅性能の項目の等級に基づき、これらを積算するなどして住宅の総合評価として住宅性能評価計算などが行われる。
【００４０】
ここで、建築用の各ＣＡＤシステム７は、共通化されたデータ形式の住宅部材データを各々の使用するデータ形式に変換するため、標準データベース２から、２次元画像，３次元画像及び変換データや上記複数の情報等の上記変換に必要な情報を抽出し、これら抽出した変換に必要な情報に基づき、データベース記憶されている共通化されたデータ形式の住宅部材データを、各ＣＡＤシステムが内部で処理に使用しているデータ形式に画像変換する変換機能を有してる。
【００４１】
これにより、住宅部材データ供給装置６は、共通化されたデータ形式で住宅部材データを蓄積することができ、全ての建築用ＣＡＤシステム７に対して、住宅部材データを配信することが可能となる。
また、データ登録装置１，建築用ＣＡＤシステム７および住宅部材データ供給装置６は、おのおの情報通信網Ｉを介して接続されている。
ここで、情報通信網Ｉは、公衆通信回線，公衆データ網，専用回線，インターネットなどから構成されている。
【００４２】
次に、図面を用いて一実施形態の動作例を説明する。
＜データ登録装置１の動作例＞
図１及び図４〜７を参照し、一実施形態におけるデータ登録装置１の動作例を、詳細に説明する。
住宅部材会社の担当者が住宅部材データの入力を行うため、データ登録装置１を起動すると、データ入力部１ａは、図示しない表示画面に図１１に示すメイン情報の入力を促す画面を表示する。
【００４３】
上記担当者は、「品番」，「品名」，「メーカー」，「価格」，「商品シリーズ」，「商品グレード」（図４に示される属性情報（主情報）に対応）（注；（１４）の答えはこのままで良いと言う事と理解しましたが）の欄に、各々商品の番号、商品の名称、住宅部材のメーカー名、商品の価格、商品のシリーズ名、商品のグレード、を入力装置（キーボードなど）により入力し、また、価格の単位を「単位」一覧から、種別（部材，建具及び素材）の一覧から、ポインティングデバイス（マウスなど）により選択する。
【００４４】
そして、担当者は、メイン情報の入力を終了し、コンテンツの入力を行うため、ツールバーの中の「コンテンツ（２次元画像情報及び３次元画像情報）」バーを選択する。
これにより、データ入力部１ａは、「品番」，「品名」，「メーカー」，「価格」，「商品シリーズ」，「商品グレード」の各欄に入力されたデータ、及び「単位」，「種別」で選択されたデータを内部の記憶部に一次記憶する。
【００４５】
そして、データ入力部１ａは、「コンテンツ」バーが選択されたことを検出し、図１２に示す２次元画像情報及び３次元画像情報、そして、マッピング画像の入力を促す画面を、表示画面に表示する。
ここで、データ入力部１ａは、「品番」及び「品名」の欄に、図１１のメイン情報の入力画面で入力した商品の番号と商品の名称とを表示する。
【００４６】
次に、利用者は、図１２の表示画面において、記録媒体（フレキシブルディスク，ＣＤ（Ｃｏｍｐａｃｔ　Ｄｉｓｃ），ＤＶＤ（Ｄｉｇｉｔａｌ　Ｖｉｄｅｏ　Ｄｉｓｃ）等）またはネットワークから読み込んだ２次元画像情報及び３次元画像情報を、各々「商品画像」，「特徴画像」，「施工例画像」，「簡易平面図」，「簡易正面図」，「簡易左側面図」，「簡易右側面図」，「簡易３次元（簡易３次元画像）」，「詳細３次元（詳細３次元画像）」，「３Ｄその他（所定のデータ形式以外の３次元画像）」の対応する領域に貼り付け、「→」が表示された次の処理を行うためのボタンを選択（マウスなどでクリック）する。
【００４７】
また、ここでは記載しないが、「詳細平面図」，「詳細正面図」，「詳細左側面図」，「詳細右側面図」に対しても、同様の張り付け処理を行う。
これにより、データ入力部１ａは、図１２の表示画面の「→」が記載された次入力ボタンがクリックされたことを検出すると、表示画面に貼り付けられた各画像情報を、内部の記憶部に一時的に記憶するとともに、次の入力画面を表示する。
このとき、データ入力部１ａは、図１１の入力画面で選択された「種類」が部品であれば、図１３に示す部品情報（住宅部材データ）の入力画面を、一方、「種類」が建具であれば、図１４に示す建具情報（住宅部材データ）の入力画面を、表示画面に表示し、さらに、「種類」が素材であれば、図示しないが素材情報（住宅部材データ）を表示画面に表示する。
【００４８】
例えば、図１１の入力画面において、「種類」として部品が選択されたとすると、データ入力部１ａは、図１３に示す部品情報の入力を促す入力画面を、表示画面に表示する。
ここで、データ入力部１ａは、「品番」及び「品名」の欄に、図１１のメイン情報の入力画面で入力した商品の番号と商品の名称とを表示する。
【００４９】
そして、担当者は、図１３の入力画面において、「幅」，「高さ」，「奥行き」，「基本色」，「色」，「耐火等級」，「認定番号」，「ＪＡＳ／ＪＩＳ規格」，「ホルムアルデヒド放散線等級（放射等級ではなく放散等級ではないでしょうか）」，「検定番号」（図９の項目に対応）の各欄に、各々、部品の幅の寸法，部品の高さの寸法，部品の奥行きの寸法，基本の色，部品の色（これらの色の違いはなんでしょうか），耐火等級の等級数，ＪＡＳ／ＪＩＳ規格の認定番号，ＪＡＳ／ＪＩＳのいずれの規格か，ホルムアルデヒド放散等級の等級数，ＪＡＳ／ＪＩＳ規格の検定番号を入力し、「劣化低減（性能）」，「維持管理（性能）」，「高齢者への配慮」の各一覧から対応する数値などを、ポインティングデバイスにより選択する。
ここで、「建具の扉の開き方」は、引き戸で、吊り元が左右どちらにあるかということであり、右戸の場合はＲ、左戸の場合はＬであり、このＲ及びＬにより開きかが異なり、区別されるということである。
【００５０】
また、図１１の入力画面において、「種類」として建具が選択されたとすると、データ入力部１ａは、図１４に示す建具情報の入力を促す入力画面を、表示画面に表示する。
ここで、データ入力部１ａは、「品番」及び「品名」の欄に、図１１のメイン情報の入力画面で入力した商品の番号と商品の名称とを表示する。
【００５１】
そして、担当者は、図１４の入力画面において、「幅」，「高さ」，「奥行き」，「基本色」，「色」，「枠見込み上」，「枠見込み左右」，「枠見込み下」，「壁内／壁外」，「開き方」（図８の項目に対応）の各欄に、各々、部品の幅の寸法，部品の高さの寸法，部品の奥行きの寸法，建具の材質，基本の色，部品の色，枠見込みの上部の寸法，枠見込みの左右部の寸法，枠見込みの下部の寸法，壁内に設置されるものか壁外に設置されるもののいずれかを記載，建具の扉の開き方を入力し、「高さタイプ」，「幅タイプ」，「枠有無」，「枠見込み」の各一覧から対応する選択肢を、ポインティングデバイスにより選択する。
ここで、基本色とは、製品のコンセプトとなる色のＲＧＢ値や色名や、キッチンや洗面器のような部材等では扉の色、風呂まわりでは浴槽の色、サッシなどの場合は枠の色が入力される
また、部分の色は、上記基本色の色名が入るが、単純に「白・黒・赤・黄等」ではなく、「スモークブラン、シルバーブラック、スカイブルー等」のコンセプトに沿って命名された色等が入力される。
【００５２】
また、図１１の入力画面において、「種類」として素材が選択されたとすると、データ入力部１ａは、図示しない素材情報の入力を促す入力画面を、表示画面に表示する。
そして、担当者は、素材情報の入力画面において、図１０に示されたスペック属性に示された「基本色」，「反射パラメータ」，…，「耐火等級」，「認定番号」，「熱伝導率」，「ＪＡＳ／ＪＩＳ規格」，「ホルムアルデヒド放散等級」，「検定番号」等のスペックの数値及び等級を入力する。
【００５３】
そして、担当者は各々の住宅部材データの入力が終了すると図示しない終了ボタンを、マウスによりクリックする。
これにより、データ入力部１ａは、図１３または図１４において入力された住宅部材データを一時的に内部の記憶部に記憶するとともに、データの入力が終了した終了信号を、データ内容チェック部１ｂへ出力し、データ入力の終了を通知する。
【００５４】
次に、データ内容チェック部１ｂは、上記終了信号により、データの入力が終了したことを検知し、上記内部の記憶部に記憶された、住宅部材データの各項目（欄毎のデータ）の内容に対して、予め設定されたチェック項目に対応して、登録処理としてのチェックを開始する。
まず、データ内容チェック部１ｂは、入力が必須とされる項目にデータが入力されているか否かの判定を行う。
ここで、入力が必須とされる項目は、例えば、図４において、必須の項に「○」が付与されている品名，表示用品番（品番），図形のサイズ（高さ，幅）などのデータである。
【００５５】
そして、データ内容チェック部１ｂは、必須とされる項目の全てが入力されていないことを検出して登録処理が実行された場合、入力されていない項目の入力を促すため、入力されていない項目ある入力画面に戻し、この未入力の欄の色を変化させて（警告画面を）、表示画面に表示し、入力を促す。
また、データ内容チェック部１ｂは、入力される住宅部材データにおける、入力が必須の２次元及び３次元画像データに予め設定されている所定のタイプ以外の構成が含まれているか否かの判定を行い、含まれていたことを検出した場合、この画像データのデータ形式の変更を促す警告画面を、表示画面に表示する。
次に、データ内容チェック部１ｂは、必須とされる項目の全てが入力されたことを検出した場合、数値が入力される項目（欄に対応）に、テキスト文字が入力されておらず、かつ入力された数値が所定の範囲以内の数値であるか否かの判定を行う。
【００５６】
例えば、データ内容チェック部１ｂは、単位がｍｍ（ミリメートル）に設定された場合、サイズ（高さ）が５００〜２０００の範囲を設定して、サイズ（高さ）が１００（ｃｍの単位で入力された）として入力された場合、範囲外の数値として、修正を求める警告（アラームの発生を含む）の画面を表示画面に表示する。
また、例えば、データ内容チェック部１ｂは、数値が入力される欄にアルファベットなどの文字が入力されていた場合、文字が入力される項目に数字のみしか記入されていない場合、テキスト入力を行う項目で「＠，［，］，＄，…」など、予め使用を禁止された文字が入力されていた場合にも、修正を求める警告（アラームの発生を含む）の画面を表示画面に表示する。
【００５７】
次に、データ内容チェック部１ｂは、内部の記憶部に記憶されている２次元画像及び３次元画像が所定のデータ形式により入力されているか否かの判定を行う（図４のデータフォーマットの項目に基づいて判定）における図面のチェックを行う。
このデータフォーマット（データ形式）は、図１２において画像を入力したとき、担当者は、各画像に対応して、図示していない欄（入力を必須とする必須項目）に記入する。
【００５８】
次に、データ内容チェック部１ｂは、２次元画像における簡易及び詳細な平面図，正面図，左側面図，右側面図の図面が定められたデータ形式、例えば、ＤＸＦ形式における所定の規則で記述されているか否かの判定を行う。
上述した所定の規則を以下において、順次、説明する。
Ａ．利用可能なＤＸＦ図形タイプ
・ＬＩＮＥ（直線）
・ＰＯＬＹＬＩＮＥ（折れ線）
・ＡＲＣ（弧）
・ＣＩＲＣＬＥ（円）
データ内容チェック部１ｂは、上述したタイプ以外の図形を無視し、入力された上述したタイプ以外のデータを消去する。
【００５９】
Ｂ．単位
データの単位はｍｍとして作成し、実際の寸法で作成する。
この単位がｍｍか否かは、データ内容チェック部１ｂにより、必須の入力項目のチェック時に確認される。
【００６０】
Ｃ．領域
領域とは、図形の外形を表すものとして定義する。この領域についての規則を以下に示す。
・外形領域が複数存在する図形の場合、領域は複数とする。
すなわち、テーブルと椅子とがセットになり、それぞれが離れている状態で表現されるような図形
・１つの図面に複数の領域が存在する場合、これら各領域の重なりを禁止する
・窓の正面図（図１５に示す図形）について領域を作成する場合、窓枠部とガラス部とは別々に、窓枠部領域とガラス部領域との領域により分けて作成しなければならない。
ここで、ガラス部領域と窓枠部領域とが重なる部分には窓枠部領域に対して、後に説明する穴領域を定義されていなければならない。
【００６１】
Ｄ．穴領域（窓正面図のみに利用される）
穴領域とは、図１６に示すように、他の領域（窓枠領域）の内側に完全に含まれる領域（ガラス領域）を作成する場合、領域の重なり部分を定義するものであり、領域と穴領域との距離を１ｍｍ以上とする。
すなわち、窓枠領域内の穴領域に、ガラス領域を埋め込む構成で、ガラスのはめ込まれた窓（窓の正面図）が形成される。
【００６２】
Ｅ．領域線
領域及び穴領域を表す外形線を領域線と定義する。以下に領域線の作成の規則を説明する。
・領域線は特定の後述するレイヤ（ｌａｙｅｒ，絵の描かれる透明なシート）に作成　されている必要がある。
・領域線を構成する各線を結ぶ端子間の距離が１ｍｍ未満でなければならない。
・領域線同士が交差することを禁止する。
・１本の領域線が複数の領域にまたがってはならない（図１７に示すように１本の領域線が複数の領域（領域と他の領域との２つ）の構成要素となってはならない）。
【００６３】
Ｆ．レイヤ
領域の画像データは、以下に定義する領域毎に分けて作成する。
１）外周領域レイヤ
外周領域線を作成するレイヤであり、作成の規則を以下に示す。
・外周領域レイヤ名は「１」つ以上の半角整数文字で示す。
・複数の外周領域で構成されるデータの場合、これら外周領域を各々別の外周領域レイヤに作成する。
【００６４】
２）穴領域レイヤ
穴領域線を作成するレイヤであり、作成の規則を以下に示す。
・穴領域レイヤ名は、「外周領域レイヤ名−穴レイヤ名」とし、いずれの外周領域に含まれるかを判別できるように記載し、穴レイヤ名も外周領域レイヤ名と同様に、「１」つ以上の半角整数文字で示す。
【００６５】
３）模様線レイヤ
模様線を作成するレイヤであり、作成の規則を以下に示す。
・外周領域レイヤと穴領域レイヤとで使用したレイヤ名以外であれば任意に付与できる。
すなわち、模様線レイヤ名は、外周領域レイヤと穴領域レイヤと同一であってはならない。
【００６６】
例えば、領域Ａ１（２つの穴を有する），領域Ａ２（１つの穴を有する），領域３（穴がない）からなる画像データの場合、そのＤＸＦ（登録商標）画像内に存在する領域関連のレイヤ名は図１８のテーブルに示す構成となり、これら以外に、任意のレイヤ（各領域に模様を付けるための模様線レイヤ）が存在する。
この図１８のテーブルにおいて、「１」，「２」及び「３」が外周領域レイヤであり、「１−１」及び「１−２」が領域Ａ１に含まれる穴領域を作成する穴領域レイヤであり、「２−１」が領域Ａ２に含まれる穴領域を作成する穴領域レイヤである。
【００６７】
Ｇ．注記及び寸法
図面中に注記及び寸法等の文字列を表記することを禁止する。
Ｈ．配置点
図形の図面に配置するときに基準となる配置点、すなわち原点を、３次元画像において原点（０，０，０）とし、２次元画像において原点（０，０）とする。
データ形式を標準化するため、図面を設計に用いるとき統一された図形とするために、原点も標準化する。
基本的な３次元画像（洗面台）の規則としては、図１９（ａ）に示すように、形背面の左下端を配置点とする。
【００６８】
また、基本的な２次元画像（洗面台）の規則としては、図２０（ａ）に示すように、平面図において図形の左上端を配置点とし、図２０（ｂ）に示すように、正面図において図形の左下端を配置点とし、図２０（ｃ）に示すように、右側面図において右下端を配置点とし、左側面図において左下端を配置点とする。
しかしながら、洗面台のように左側面及び右側面が壁に接して配置する場合、上述した配置点の規則で良いが、トイレの便器の様に部屋の中央に配置する場合、ルールは異なり、「種類」，「分類」，「種別」に対応して配置点の位置の規則が設定されている。
【００６９】
例えば、図２１（ａ）に示すように、平面図において図形の上端中央を配置点とし、図２１（ｂ）に示すように、正面図において図形の下端中央を配置点とし、図２１（ｃ）に示すように、右側面図において右下端を配置点とし、左側面図において左下端を配置点とする。
そして、３次元画像（便器）の規則としては、図１９（ｂ）に示すように、形背面の下端中央を配置点とする。（この表現で合っているでしょうか）
【００７０】
Ｈ．線種名
使用する線種において、「実線（ＣＯＮＴＩＮＵＯＵＳ）」，「破線（ＤＡＳＨＥＤ）」，「点線（ＤＯＴ）」，「１点鎖線（ＣＥＮＴＥＲ）」，「２点鎖線（ＰＨＡＮＴＯＭ）」以外の線種の線は、実線として扱われる。
また、ＣＡＤ側において、線の色及び折れ線の線幅については、考慮されない。
すなわち、２次元画面上で、線色や線幅を設定しても、ＣＡＤ上の図面として配置された場合、設定された条件が無視された表示される。
このため、線色や線幅、ＣＡＤソフト毎に意味合いを持たせることが多く、２次元画面上の部材図面の色線や線幅をそのままＣＡＤ上に再現すると、図面全体の意味合いがおかしくなってしまう可能性があるためである。
【００７１】
データ内容チェック部１ｂは、上述したＡ〜Ｈまでの規則に即して、２次元及び３次元画像の図面が作成されているか否かのチェックを行う。
そして、データ内容チェック部１ｂは、上記ＡからＨまでの規則のいずれか１つでも対応していない領域を検出した場合、表示画面に警告画面を出力して、住宅部材データの入力を行っている担当者に対して図面の修正を促す。
【００７２】
また、データ内容チェック部１ｂは、住宅部材として建具の住宅部材データの入力が行われた場合、図面において以下のチェックを行う。
そして、データ内容チェック部１ｂは、図面において、正面図が内面図及び外面図として２つ存在するか、加えて、断面図が存在するか否かの判定を行う。
ここで、内面図は、図２２（ｂ）に示すように、図２２（ａ）の平面図において、内面から建具を見た図である。
また、外面図は、図２２（ｃ）に示すように、図２２（ａ）の平面図において、外面から建具を見た図である。
また、断面図は、図２２（ｄ）に示すように、図２２（ａ）の平面図において、右面から見た、建具の所定の位置の断面図を示している。
【００７３】
次に、データ内容チェック部１ｂは、図１４の入力画面において壁内／壁外の欄のデータを判定して、「壁内」及び「壁外」のいずれが入力されたかを検出して、「壁内」及び「壁外」それぞれにおいて異なった項目のチェックを行う。
データ内容チェック部１ｂは、「壁内」が入力された場合（外部建具（ドア，出窓以外の窓）、内部建具が相当する）、平面図において、以下に示すチェックを行う。
すなわち、データ内容チェック部１ｂは、図２３に示すように、配置点が見込み（厚さ）方向（Ｙ軸）の中心、かつ長さ方向（Ｘ軸）の始点（枠付きならば枠の外周に対応させる）にあるか否かの判定を行う。
【００７４】
そして、データ内容チェック部１ｂは、配置点の位置を基準として、扉の開く方向がＹ軸の正方向（＋方向、すなわち図２３におけるＹ軸に沿った上部方向）であるか否かの判定を行う。
上述したように、データ内容チェック部１ｂは、内面図，外面図及び断面図のいずれか１つでも存在しない場合、または配置点の位置が規則に合わない場合、もしくは扉の開く方向が配置点の位置を基準としてＹ軸の正方向でない場合、のいずれか１つでも検出した場合、表示画面に警告画面を出力して、住宅部材データの入力を行っている担当者に対して図面の修正を促す。
【００７５】
また、図８の建具属性にある「Ｈ（高さ）」は、建具の枠の高さ方向の幅寸法を含めた高さとし、「Ｗ（幅）」も枠の横方向の幅寸法を含めた幅とする。
さらに、担当者は、図８の建具属性にある「開き方」に、建具が右開きならば「Ｒ」を入れ、左開きならば「Ｌ」を入力画面で入力する。
ここで、データ内容チェック部１ｂは、なにも入力されていない場合、右開きと解釈し、標準データベース２の図８のテーブルの「開き方」の項目に「Ｒ」を入力し、ＲまたはＬのいずれでもない文字が入力されていた場合、表示画面に警告画面を出力して、住宅部材データの入力を行っている担当者に対して図面の修正を促す。
【００７６】
データ内容チェック部１ｂは、「壁外」が入力された場合（外部建具（出窓）、外建付帯（例えば雨戸，シャッタなど；「外建付帯」とはインターネットで調べた結果、検索され無かったのですが業界としては一般的に用いていて、だれでも判る単語なのでしょうか）が相当する）、平面図及び断面図において、以下に示すチェックを行う。
そして、データ内容チェック部１ｂは、入力された「分類」及び「種別」の記載に基づき、建具が出窓及び外建付帯のいずれかであるかの判定を行い、出窓と判定された場合、以下の項目についてチェックを行う。
【００７７】
すなわち、データ内容チェック部１ｂは、入力された住宅部材データにおいて、図２４（ａ）に示すように、平面図における配置点が枠の左下端の内側にあり、かつ、図２４（ｂ）に示すように、断面図における配置点、すなわち高さ方向の基準点が窓の地板の天端にあるか否かの判定を行い、配置点の位置が異なることを検出した場合、表示画面に警告画面を出力して、住宅部材データの入力を行っている担当者に対して図面の修正を促す。
【００７８】
一方、データ内容チェック部１ｂは、入力された「分類」及び「種別」の記載に基づき、建具が出窓及び外建付帯のいずれかであるかの判定を行い、外建付帯、例えばシャッターと判定された場合、以下の項目についてチェックを行う。
すなわち、データ内容チェック部１ｂは、入力された住宅部材データにおいて、図２５（ａ）に示すように、平面図における配置点がレールの左下端の内側にあり、かつ、図２５（ｂ）に示すように、断面図における配置点、すなわち高さ方向の基準点がシャッターの下端にあるか否かの判定を行い、配置点の位置が異なることを検出した場合、表示画面に警告画面を出力して、住宅部材データの入力を行っている担当者に対して図面の修正を促す。
ここで、シャッターの高さには、ボックスの寸法を含めないこととする。
【００７９】
＜住宅部材データ供給装置６の動作例＞
データベース書き込み部３は、情報通信網Ｉを介して、データ登録装置１から入力される住宅部材データを、住宅部材会社毎に、図５，６，７の分類方法により分類して記憶させる。
そして、データ検索部４は、建築用ＣＡＤシステム７から入力される検索要求に従い起動し、検索要求とともに送られてくる検索対象の検索を行う。
【００８０】
データ検索部４は、建築用ＣＡＤシステム７から住宅部材会社の会社名及び「種類」が入力されることにより、「種類」、例えば「部品」に含まれる家具，家電等の「分類」の一覧を、標準データベース２から検索して抽出する。
そして、データ出力部５は、情報通信網Ｉを介して、データ検索部４により抽出された上記一覧を建築用ＣＡＤシステム７へ送信する。
これにより、建築用ＣＡＤシステム７は、入力される「分類」の一覧を、表示画面に表示する。
【００８１】
次に、建築用ＣＡＤシステム７は、一覧のなかからマウスによりクリックするなどして選択された分類、例えば分類として家具が選択されたとすると、検索要求とともに家具を示すデータを、住宅部材データ供給装置６へ送信する。
これにより、データ検索部４は、入力される家具を示すデータにより、「種別」の一覧（玄関家具，収納家具，…）を検索して抽出する。
そして、データ出力部５は、情報通信網Ｉを介して、上記一覧を建築用ＣＡＤシステム７へ送信する。
次に、建築用ＣＡＤシステム７は、入力される「種別」の一覧を、表示画面に表示する。
【００８２】
次に、建築用ＣＡＤシステム７は、一覧のなかからマウスによりクリックするなどして選択された種別、例えば種別として収納家具が選択されたとすると、検索要求とともに収納家具を示すデータを、住宅部材データ供給装置６へ送信する。
これにより、データ検索部４は、入力される収納家具を示すデータにより、「グループ」の一覧（収納ボード，ＴＶボード，キャビネット，…）を検索して抽出する。
そして、データ出力部５は、情報通信網Ｉを介して、上記一覧を建築用ＣＡＤシステム７へ送信する。
次に、建築用ＣＡＤシステム７は、入力される「グループ」の一覧を、表示画面に表示する。
【００８３】
次に、建築用ＣＡＤシステム７は、一覧のなかからマウスによりクリックするなどして選択されたグループ内の品名、例えば品名としてキャビネットが選択されたとすると、検索要求とともにキャビネットを示すデータを、住宅部材データ供給装置６へ送信する。
これにより、データ検索部４は、入力されるキャビネットを示すデータにより、「キャビネット」で現在流通されている型番（表示用品番）と、この型番のキャビネットの金額と、スペックにおける幅，高さ，奥行きのデータとの一覧を、検索して抽出する。
そして、データ出力部５は、上記一覧を建築用ＣＡＤシステム７へ送信する。
次に、建築用ＣＡＤシステム７は、入力される型番と、この型番の金額とスペックとの一覧を、表示画面に表示する。
【００８４】
そして、建築用ＣＡＤシステム７は、一覧のなかからマウスによりクリックするなどして選択された型番を示すデータを、住宅部材データ供給装置６へ送信する。
これにより、データ検索部４は、入力される型番を示すデータから、属性ＩＤを抽出し、この属性ＩＤにリンクされた（関連づけられた）２次元及び３次元画像データを検索し抽出する。
このとき、データ検索部４は、抽出される２次元及び３次元画像データに添付された画像ＩＤ，平面ＩＤ，立体ＩＤにより、リンクされた他の２次元及び３次元画像データを抽出する。
【００８５】
そして、データ出力部５は、住宅部材データとして上記２次元及び３次元画像データを建築用ＣＡＤシステム７へ送信する。
次に、建築用ＣＡＤシステム７は、入力される２次元及び３次元画像データを表示画面に表示する。
このとき、建築用ＣＡＤシステム７は、入力される２次元及び３次元画像データのデータ形式を、変換データを用いて、自身の内部で用いているデータ形式に変換して、以降の設計等の処理を行う。
また、データ検索部４は、住宅部材会社の会社名と、型番とが入力される場合、ダイレクトに、標準データベース２において、２次元及び３次元画像データの検索を行う。
【００８６】
上述してきたように、本発明の住宅部材データ供給装置６は、住宅部材会社から見たとき、標準データベース２に、複数の住宅部材会社間で標準化されたデータ形式により、住宅部材データを記憶するため、住宅部材会社が複数のベンダに対して、住宅部材データを、それぞれに対応したデータ形式に変換して供給する必要が無くなるため、コストを低下させることができ、安価に住宅部材データの供給が行えるとともに、商品が変更された場合にも、複数の形式の住宅部材データを生成する必要がないため、データベースや後に説明するＣＤ−ＲＯＭ（建築用ＣＡＤシステム７毎に配布）における住宅部材データの変更データの反映の遅れが無くなり、供給する住宅部材データとの同期を取ることが可能である。
【００８７】
そして、本発明のデータ登録装置２は、住宅部材会社から見たとき、標準データベース２へ記憶（登録）する住宅部材データを、データ入力部１ａの表示する入力画面に対応して入力することができ、データ内容チェック部１ｂが入力された住宅部材データのデータ形式を、標準化されたデータ形式で有るか否かの判定を行うため、データ入力の効率を向上させ、高い精度で標準化されたデータ形式の住宅部材データの入力が行える。
【００８８】
また、本発明の住宅部材データ供給装置６は、ベンダー側から見たとき、標準化されたデータが入手できるため、標準データベース２から入力する標準化データと、建築用ＣＡＤシステム７の内部で使用するデータとの変換を行うインターフェースさえ準備することにより、複数の住宅部材会社の全ての住宅部材を設計に使用可能となるため、従来の様に選定した住宅部材しか利用できす、ベンダー側の都合で住宅部材データを変更する場合に比較して、住宅設計に用いる住宅部材データが大幅に増加し、安定した住宅部材データの数を確保できるため、設計の自由度および設計された住宅の質を向上させる建築用ＣＡＤシステムを供給することが可能となる。
【００８９】
さらに、本発明の住宅部材データ供給装置６は、住宅会社からみたとき、標準データベース２により、複数の住宅部材会社における全ての住宅部材データを使用することが可能となるため、自社でデータベースシステムを運用しなくても必要なデータを得ることができ、上記データベースシステムの運用する維持コストを継続的にかける必要が無くなるので、自社の建築用ＣＡＤシステム７の運用コストを大幅に削減することが可能となる。
【００９０】
次に、本発明の実施の形態によるコンピュータが実行するためのプログラムについて説明する。
図１における住宅部材データ供給装置及びデータ登録装置におけるコンピュータシステムのＣＰＵが実行するためのプログラムは、本発明によるプログラムを構成する。
このプログラムを格納するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００９１】
また上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００９２】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
従って、このプログラムを図１の住宅部材データ供給装置及びデータ登録装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００９３】
以上、本発明の一実施形態を図面を参照して詳述してきたが、具体的な構成はこの実施形態に限られるものではなく、本発明の要旨を逸脱しない範囲の設計変更等があっても本発明に含まれる。
例えば、要求のある住宅部材データについては、共通化されたデータ形式の他に、共通化されていないデータ形式の画像データも参考データとして、標準データベース２内に参考データ記憶領域を作成して、２次元画像及び３次元画像に対応させて記憶させるようにしてもよい。
【００９４】
また、住宅部材会社毎に、標準データベース２の各データと，データ検索部４およびデータ出力部５との機能（各処理を行うプログラム）を、記憶媒体、例えばＣＤ−ＲＯＭ，ＤＶＤ等に記憶させて、建築用ＣＡＤシステム７のベンダー及び使用している住宅会社へ供給するようにしてもよい。
すなわち、建築用ＣＡＤシステム７に、記憶媒体を挿入することにより、この記憶媒体をアクセスすることにより、住宅部材会社毎に、住宅部材データの検索が行える構成とする。
これにより、上記記録媒体を用いることにより、住宅部材データ供給装置６におけるデータベース書き込み部３の機能以外を、情報通信網Ｉに接続されていない建築用ＣＡＤシステム７でも使用可能となる。
【００９５】
データ検索部４及びデータ出力５の各機能については、記憶媒体にプログラムとして格納している以外、すでに一実施形態において説明した処理及び動作と同様である。
また、記憶媒体に記録される標準データベース２のデータ構成についても、すでに一実施形態において説明したデータ形式及びデータ構成と同様である。
この記録媒体へ標準データベース２の各データを書き込む場合には、一実施形態におけるデータ登録装置１に、データベース書き込み部３に換えて、上記記録媒体への書き込み装置（使用する記録媒体に対応した）を付加する必要がある。
【００９６】
【発明の効果】
本発明の住宅部材データ供給装置によれば、住宅部材会社から見たとき、標準データベースに、複数の住宅部材会社間で標準化されたデータ形式により、住宅部材データを記憶するため、住宅部材会社が複数のベンダに対して、住宅部材データを、それぞれに対応したデータ形式に変換して供給する必要が無くなるため、コストを低下させることができ、安価に住宅部材データの供給が行えるとともに、商品が変更された場合にも、複数の形式の住宅部材データを生成する必要がないため、データベースや後に説明するＣＤ−ＲＯＭ（建築用ＣＡＤシステム７毎に配布）における住宅部材データの変更データの反映の遅れが無くなり、供給する住宅部材データとの同期を取ることが可能である。
【００９７】
また、本発明のデータ登録装置によれば、住宅部材会社から見たとき、標準データベースへ登録する住宅部材データを、データ入力部の表示する入力画面に対応して入力することができ、データ内容チェック部が入力された住宅部材データのデータ形式を、標準化されたデータ形式で有るか否かの判定を行うため、データ入力の効率を向上させ、高い精度で標準化されたデータ形式の住宅部材データの入力が行える。
【図面の簡単な説明】
【図１】本発明の一実施形態による住宅部材データ供給装置６の構成例を示すブロック図である。
【図２】標準データベース２に記憶される、データ形式が標準化された住宅部材データの構成を示す概念図である。
【図３】図２の２次元情報と３次元情報との関連性を示すリンク構造の概念図である。
【図４】住宅部材データの属性の定義と、２次元画像及び３次元画像の構成を示すテーブルである。
【図５】「種類」として部品の分類の構成を説明を示すテーブルである。
【図６】「種類」として建具の分類の構成を説明を示すテーブルである。
【図７】「種類」として素材の分類の構成を説明を示すテーブルである。
【図８】「種類」として建具のスペックの種類及びスペックの説明を示すテーブルである。
【図９】「種類」として部品のスペックの種類及びスペックの説明を示すテーブルである。
【図１０】「種類」として素材のスペックの種類及びスペックの説明を示すテーブルである。
【図１１】データ入力部１ａが表示する、住宅部材データの「種類」や「メーカ」等の入力画面の概念図である。
【図１２】データ入力部１ａが表示する、住宅部材データの２次元画像及び３次元画像等の入力画面の概念図である。
【図１３】データ入力部１ａが表示する、「種類」として「部品」の住宅部材データを入力する入力画面の概念図である。
【図１４】データ入力部１ａが表示する、「種類」として「建具」の住宅部材データを入力する入力画面の概念図である。
【図１５】窓の正面図について領域を作成する場合の規則を説明するための概念図である。
【図１６】窓の正面図について領域を作成する場合の規則を説明するための概念図である。
【図１７】画像データの領域における領域線の生成における規則を説明する概念図である。
【図１８】外周領域レイヤ及び穴領域レイヤにおける規則を説明する、一例の画像データにおけるレイヤの関係を示すテーブルである。
【図１９】配置点の位置を説明する、３次元画像で示した洗面化粧台及び便器の概念図である。
【図２０】配置点の位置を説明する、２次元画像で示した洗面化粧台の概念図である。
【図２１】配置点の位置を説明する、２次元画像で示した便器の概念図である。
【図２２】データ内容チェック部１ｂのチェック項目を説明する窓の概念図である
【図２３】データ内容チェック部１ｂのチェック項目を説明する窓の概念図である。
【図２４】データ内容チェック部１ｂのチェック項目を説明する出窓の概念図である。
【図２５】データ内容チェック部１ｂのチェック項目を説明するシャッターの概念図である。
【符号の説明】
１　データ登録装置
１ａ　データ入力部
１ｂ　データ内容チェック部
２　標準データベース
３　データベース書き込み部
４　データ検索部
５　データ出力部
６　住宅部材データ供給装置
７　建築用ＣＡＤシステム
Ｉ　情報通信網
【図１】
2004126809.tif 000003
【図２】
2004126809.tif 000004
【図３】
2004126809.tif 000005
【図４】
2004126809.tif 000006
【図５】
2004126809.tif 000007
【図６】
2004126809.tif 000008
【図７】
2004126809.tif 000009
【図８】
2004126809.tif 000010
【図９】
2004126809.tif 000011
【図１０】
2004126809.tif 000012
【図１１】
2004126809.tif 000013
【図１２】
2004126809.tif 000014
【図１３】
2004126809.tif 000015
【図１４】
2004126809.tif 000016
【図１５】
2004126809.tif 000017
【図１６】
2004126809.tif 000018
【図１７】
2004126809.tif 000019
【図１８】
2004126809.tif 000020
【図１９】
2004126809.tif 000021
【図２０】
2004126809.tif 000022
【図２１】
2004126809.tif 000023
【図２２】
2004126809.tif 000024
【図２３】
2004126809.tif 000025
【図２４】
2004126809.tif 000026
【図２５】
2004126809.tif 000027